(57)【要約】      （修正有）【課題】小三角柱磁石を貼付した手相強化テープを手掌、に接着して掌線を増強、又は掌線を新設する。一方、磁気帯び小布を貼付したテープは、疲れた筋肉に接着して筋肉の安静、回復、増強をする。【解決手段】小三角柱の各磁石の間に非磁化薄板を介在させた手相強化テープ、非磁化薄板を介在させない手相強化テープは、手掌の掌線を増強、又は新設したい所にテープを接着して、各人は将来の安心、幸福を得る。磁気帯び小布を羅列、貼付した手相筋肉強化テープは、体の各所の筋肉を安静、療養、増強する。【選択図】図１
0003141655.tif 000002
【実用新案登録請求の範囲】
【請求項１】
手掌にテープを接着して、掌線を新規に形成する、又は既存の掌線を太く明瞭にする、手相筋肉強化テープであって、その内面、即ち、手掌に貼付する面に多数個の小三角柱状の磁石を１列に配列する、しかして、各磁石は同磁極同士が隣接する如く配置した形状にする、但し、日常、手は開閉運動が激しいから、手掌に貼付する場合は、小三角柱状の各磁石の間に非磁化板を介在させた構造の、手相筋肉強化テープ。
【請求項２】
人が筋肉のコリを直すか、又はアスリート達が手足の筋肉の強化に貼付する場合においては、[請求項１]のテープに貼付する多数個の小三角柱状磁石の代わりに、磁気帯び金属粉末を塗布粘着した小布の多数枚を、配列貼付した構造の[請求項１]記載の手相筋肉強化テープ
【請求項３】
掌線を太く明瞭にする、及び、掌線を新規に形成する、及び、筋肉を安静、補強する為に、小三角柱磁石及び、磁気帯び金属粉末を塗布粘着した小布の、磁気が四周へ放散、散逸し、磁力が減衰するのを防ぎ、磁気の放射方向を、掌線、筋肉の方向のみに集束して指向させたい希求から、[請求項１] [請求項２]の手相筋肉強化テープの材質は、非磁化性及び磁気反射性の金属箔とし、それにビニールを張り合わせ、強化した構造の粘着テープとした、[請求項１] [請求項２]記載の手相筋肉強化テープ。
【考案の詳細な説明】
【技術分野】
【０００１】
個人の手掌に刻まれた掌線は経験的に個人の過去、未来を占い、幸運を招来する方便として、各人は希求してきた。現今は手掌に、ペイントインキで掌線を書き込んで、幸運、金運を希求する方法も出現している。本考案は、更に確実に、各人の手掌に掌線を刻む方法と、並びに、類似の方法で、個人の筋肉の疲れを取り去り、筋肉を賦活させる方法を考案した。
【背景技術】
【０００２】
従来、手相の掌線を改変する器具は以下に示す如く、様々考案されてきた、然しいずれも器具を使って動的努力を必要とした。しかも、ローラー等の外周が鋭角で、手掌上を反復、擦過する器具を使用するとき、手掌の皮膚の弱い個人は、２次的に受傷を懸念する。
【０００３】
【特許文献１】特開２００５−２７９２０７
【特許文献２】特開２００４−３２１３６１
【特許文献３】特開２００２−１２８６６２
【特許文献４】特開２００２−２００１３８
【特許文献５】特開２００４−３２１７３１
【非特許文献６】ピップエレキバン、ピップフジモト株式会社
【考案の開示】
【考案が解決しようとする課題】
【０００４】
本考案は手掌の掌線を増強するか新設したい所、及び、身体の筋肉に、テープを貼付するだけで、日常生活に於いて無駄な労作、努力を必要としない利点がある。
【課題を解決するための手段】
【０００５】
本考案は手掌へ貼付するテープの内面に小磁石を接着した形態と、身体の要所の筋肉に貼付するテープの内面に磁気帯び小布を貼付した、２形態よりなる。
【考案の効果】
【０００６】
テープに貼付する磁石は、数ミリの長さに分断した多数個の小三角柱の形体をなす。個々の小三角柱磁石は同磁極を隣接する如く配置して、テープに貼付する、１列に配置形成した小三角柱の稜線を目的の掌線上に貼付する。個々の小三角柱の磁石は隣接する同極同士は反発して磁気を四方に放散するが、非磁化金属のテープに磁気がさえぎられて、磁気は１方向、即ち、増強、新設したい掌線、又は筋肉に、磁力が向けられる。磁力を受けた掌線と付近の組織細胞は賦活する、しかし、小三角柱の１列に連続した稜線にさえぎられて、圧迫されて、皮膚は浅い線状痕を形成する、この日々の、蓄積により、掌線は次第に、深い皺を形成する、これが掌線を形成する機序である。一方、磁気帯び金属粉末を粘着した多数枚の小布を、任意の幅のテープに接着して、身体の疲れた筋肉に貼付する、これにより筋肉は賦活する。
【考案を実施するための最良の形態】
【０００７】
手掌へ貼付するテープは、小三角柱の磁石の磁気の方向を、増強、新設したい掌線に指向させたいので、材質は非磁化性、磁気反射性の金属箔とビニール箔を融合したテープとする。又、小三角柱の磁石を、同磁極を隣接して１列に配列する場合に、各磁石間に非磁化薄板を介在させる事もある、これは手掌の屈曲展開により、磁石の同極同士が接触して、発生する、磁気の乱れを回避する為である。又、小三角柱の磁石は常時、掌線を圧迫しているから、小三角柱の磁石の材質は、プラスチック、ゴム等、軟性材質の磁石とする事もある。
【実施例】
【０００８】
以下、添付図面に従って実施例を説明する。図１の手掌の掌線を作りたい箇所１，２に４小三角柱の磁石のついた５テープを貼付する。図４は三角柱の４各磁石の間に７非磁化薄板を介在した構造、図２は非磁化薄板を介在しない構造。
【図面の簡単な説明】
【０００９】
【図１】本考案の手相筋肉強化テープを貼付した手掌と足。
【図２】図１の３破線内の手相筋肉強化テープの拡大斜視図。
【図３】図２の手相強化テープのＡ，Ａにおける横断面図。
【図４】７非磁化薄板を介在させた手相強化テープの斜視図。
【図５】図４の手相強化テープのＢ，Ｂにおける横断面図。
【図６】８小布多数枚を接着した５手相筋肉強化テープ
【図７】図６の手相強化テープのＣ，Ｃにおける横断面図。
【符号の説明】
【００１０】
１  運命線強化テープ
２  ますかけ線強化テープ
３  破線内の詳細を図２で図示
４  小三角柱磁石  
５  磁気反射、手相筋肉強化テープ
６  手掌、及び筋肉
７  非磁化板
８  磁気帯び金属粉末を塗布粘着した小布多数枚
９  磁気反射、筋肉強化テープ
【図１】
0003141655.tif 000003
【図２】
0003141655.tif 000004
【図３】
0003141655.tif 000005
【図４】
0003141655.tif 000006
【図５】
0003141655.tif 000007
【図６】
0003141655.tif 000008
【図７】
0003141655.tif 000009
【手続補正書】
【提出日】平成20年3月5日(2008.3.5)
【手続補正１】
【補正対象書類名】実用新案登録請求の範囲
【補正対象項目名】全文
【補正方法】変更
【補正の内容】
【実用新案登録請求の範囲】
【請求項１】
手掌にテープを接着して、掌線を新規に形成するか、既存の掌線を深く太く、明瞭、にする、手相筋肉強化テープであって、テープの内面に多数個の小三角柱状の磁石を１列に配列する、しかして、各磁石は同磁極同士が隣接する如く配置した形状であって、小三角柱状の各磁石の間に非磁化板を介在させた構造の、手相筋肉強化テープ。
【請求項２】
人が筋肉のコリを直すか、又はアスリート達が手足の筋肉の強化に貼付する場合においては請求項１のテープに貼付する多数個の小三角柱状磁石の代わりに、磁気帯び金属粉末を塗布粘着した小布の多数枚を、配列貼付した構造の請求項１記載の手相筋肉強化テープ。
【請求項３】
掌線を太く明瞭にする、及び、掌線を新規に形成する、及び、筋肉を安静、補強する為に、小三角柱磁石及び、磁気帯び金属粉末を塗布粘着した小布の、磁気が四周へ放散、散逸し、磁力が減衰するのを防ぎ、磁気の放射方向を、掌線、筋肉の方向のみに集束して指向させたい希求から、請求項１または 請求項２に記載の手相筋肉強化テープの材質は、非磁化性及び磁気反射性の金属箔とし、それにビニールを張り合わせ、強化した構造の粘着テープとした、請求項１または請求項２に記載の手相筋肉強化テープ。